【手続補正書】
【提出日】平成15年8月26日(2003.8.26)
【手続補正１】
【補正対象書類名】明細書
【補正対象項目名】特許請求の範囲
【補正方法】変更
【補正の内容】
【特許請求の範囲】
【請求項１】
フィンを介して積層した複数のチューブと、前記チューブの端部に配設したヘッダパイプと、前記チューブ層を保持するサイドプレートとを備えた熱交換器において、
前記ヘッダパイプは、プレート状の素材にチューブ孔及びサイドプレート孔を設け、更にこれを丸めて形成したものであり、
前記サイドプレートは、前記ヘッダパイプの前記サイドプレート孔に挿入して接合するものであり、
更に、前記サイドプレートは、前記ヘッダパイプのサイドプレート孔の幅方向内端面と密着する傾斜部と、前記ヘッダパイプの外周面と当接する当接部とを備え、
前記サイドプレートの前記当接部は、前記ヘッダパイプの外周面に外嵌する曲率を有することを特徴とする熱交換器。
【請求項２】
前記サイドプレートの端部には、その先端に向って厚さ寸法を減少するテーパーと、その先端に向って幅寸法を減少するテーパーとを設け、
更に、前記幅寸法を減少するテーパーの基部に、前記サイドプレート孔の幅より大きい部位を形成し、
前記サイドプレートの当接部と前記テーパーの基部形成された前記サイドプレート孔の幅より大きい部位とにより、当該サイドプレートが前記ヘッダパイプに保持されることを特徴とする請求項１記載の熱交換器。
【請求項３】
ヘッダパイプに組み付けたサイドプレートを保持する熱交換器のサイドプレート抜け止め方法において、
前記サイドプレートの端部には、その先端に向って厚さ寸法を減少するテーパーと、その先端に向って幅寸法を減少するテーパーとを設けるとともに、前記幅寸法を減少するテーパーの基部に、前記サイドプレート孔の幅より大きい部位を形成し、更に、サイドプレートの端部に変形可能な部位を設け、
且つ、前記サイドプレートの端部を前記ヘッダパイプに設けたサイドプレート孔に挿入した後、前記ヘッダパイプ内における前記サイドプレート端部の変形可能な部位を曲げて、該端部が前記サイドプレート孔から抜けるのを防止するようにしたことを特徴とする熱交換器のサイドプレート抜け止め方法。
【請求項４】
前記サイドプレートの端部には、その長手方向に一つ又は複数の切込みが設けられており、この切込みによって分断される前記端部を幅方向に開くことにより抜け止めがなされることを特徴とする請求項３記載の熱交換器のサイドプレート抜け止め方法。
【手続補正２】
【補正対象書類名】明細書
【補正対象項目名】０００９
【補正方法】変更
【補正の内容】
【０００９】
【課題を解決するための手段】
本発明は、フィンを介して積層した複数のチューブと、前記チューブの端部に配設したヘッダパイプと、前記チューブ層を保持するサイドプレートとを備えた熱交換器において、前記ヘッダパイプは、プレート状の素材にチューブ孔及びサイドプレート孔を設け、更にこれを丸めて形成したものであり、前記サイドプレートは、前記ヘッダパイプの前記サイドプレート孔に挿入して接合するものであり、更に、前記サイドプレートは、前記ヘッダパイプのサイドプレート孔の幅方向内端面と密着する傾斜部と、前記ヘッダパイプの外周面と当接する当接部とを備え、前記サイドプレートの前記当接部は、前記ヘッダパイプの外周面に外嵌する曲率を有する熱交換器である。


【手続補正３】
【補正対象書類名】明細書
【補正対象項目名】００１０
【補正方法】変更
【補正の内容】
【００１０】
本発明に係る熱交換器によれば、サイドプレートが、ヘッダパイプのサイドプレート孔の幅方向内端面と密着する傾斜部と、ヘッダパイプの外周面と当接する当接部とを備え、サイドプレートの前記当接部は、ヘッダパイプの外周面に外嵌する曲率を有するので、サイドプレートの支持強度を向上することができ、その構造的強度を向上することができる。すなわちこれは、当接部とヘッダパイプの外周面との当接及びろう付けが、奥行のある立体面にてなされるためである。また、この当接部は、ヘッダパイプの外周面に外嵌することから、ヘッダパイプの補強材ともなるので、ヘッダパイプの変形や破裂を防止することができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】変更
【補正の内容】
【００２１】
また、本発明は、ヘッダパイプに組み付けたサイドプレートを保持する熱交換器のサイドプレート抜け止め方法において、前記サイドプレートの端部には、その先端に向って厚さ寸法を減少するテーパーと、その先端に向って幅寸法を減少するテーパーとを設けるとともに、前記幅寸法を減少するテーパーの基部に、前記サイドプレート孔の幅より大きい部位を形成し、更に、サイドプレートの端部に変形可能な部位を設け、且つ、前記サイドプレートの端部を前記ヘッダパイプに設けたサイドプレート孔に挿入した後、前記ヘッダパイプ内における前記サイドプレート端部の変形可能な部位を曲げて、該端部が前記サイドプレート孔から抜けるのを防止するようにした熱交換器のサイドプレート抜け止め方法である。
【手続補正１５】
【補正対象書類名】明細書
【補正対象項目名】００２２
【補正方法】変更
【補正の内容】
【００２２】
このように、本発明は、サイドプレートの端部がサイドプレート孔から抜けるのを防止する抜け止め手段を設けたので、サイドプレートを組み付けてからろう付けするまでに、サイドプレートの端部がサイドプレート孔から抜けるような事態を未然に防ぐことができる。すなわち、サイドプレートを堅固に組み付けることができ、サイドプレートの端部とサイドプレート孔とを確実にろう付けすることができる。


【手続補正１６】
【補正対象書類名】明細書
【補正対象項目名】００５７
【補正方法】変更
【補正の内容】
【００５７】
【発明の効果】
本発明は、フィンを介して積層した複数のチューブと、前記チューブの端部に配設したヘッダパイプと、前記チューブ層を保持するサイドプレートとを備えた熱交換器において、前記ヘッダパイプは、プレート状の素材にチューブ孔及びサイドプレート孔を設け、更にこれを丸めて形成したものであり、前記サイドプレートは、前記ヘッダパイプの前記サイドプレート孔に挿入して接合するものであり、更に、前記サイドプレートは、前記ヘッダパイプのサイドプレート孔の幅方向内端面と密着する傾斜部と、前記ヘッダパイプの外周面と当接する当接部とを備え、前記サイドプレートの前記当接部は、前記ヘッダパイプの外周面に外嵌する曲率を有する熱交換器である。


【手続補正１７】
【補正対象書類名】明細書
【補正対象項目名】００５８
【補正方法】変更
【補正の内容】
【００５８】
本発明に係る熱交換器によれば、サイドプレートが、ヘッダパイプのサイドプレート孔の幅方向内端面と密着する傾斜部と、ヘッダパイプの外周面と当接する当接部とを備え、サイドプレートの前記当接部は、ヘッダパイプの外周面に外嵌する曲率を有するので、サイドプレートの支持強度を向上することができ、その構造的強度を向上することができる。すなわちこれは、当接部とヘッダパイプの外周面との当接及びろう付けが、奥行のある立体面にてなされるためである。また、この当接部は、ヘッダパイプの外周面に外嵌することから、ヘッダパイプの補強材ともなるので、ヘッダパイプの変形や破裂を防止することができる。
【手続補正１８】
【補正対象書類名】明細書
【補正対象項目名】００５９
【補正方法】削除
【補正の内容】
【手続補正１９】
【補正対象書類名】明細書
【補正対象項目名】００６０
【補正方法】削除
【補正の内容】
【手続補正２０】
【補正対象書類名】明細書
【補正対象項目名】００６１
【補正方法】削除
【補正の内容】
【手続補正２１】
【補正対象書類名】明細書
【補正対象項目名】００６２
【補正方法】削除
【補正の内容】
【手続補正２２】
【補正対象書類名】明細書
【補正対象項目名】００６３
【補正方法】削除
【補正の内容】
【手続補正２３】
【補正対象書類名】明細書
【補正対象項目名】００６４
【補正方法】削除
【補正の内容】
【手続補正２４】
【補正対象書類名】明細書
【補正対象項目名】００６５
【補正方法】削除
【補正の内容】
【手続補正２５】
【補正対象書類名】明細書
【補正対象項目名】００６６
【補正方法】削除
【補正の内容】
【手続補正２６】
【補正対象書類名】明細書
【補正対象項目名】００６７
【補正方法】削除
【補正の内容】
【手続補正２７】
【補正対象書類名】明細書
【補正対象項目名】００６８
【補正方法】削除
【補正の内容】
【手続補正２８】
【補正対象書類名】明細書
【補正対象項目名】００６９
【補正方法】変更
【補正の内容】
【００６９】
また、本発明は、ヘッダパイプに組み付けたサイドプレートを保持する熱交換器のサイドプレート抜け止め方法において、前記サイドプレートの端部には、その先端に向って厚さ寸法を減少するテーパーと、その先端に向って幅寸法を減少するテーパーとを設けるとともに、前記幅寸法を減少するテーパーの基部に、前記サイドプレート孔の幅より大きい部位を形成し、更に、サイドプレートの端部に変形可能な部位を設け、且つ、前記サイドプレートの端部を前記ヘッダパイプに設けたサイドプレート孔に挿入した後、前記ヘッダパイプ内における前記サイドプレート端部の変形可能な部位を曲げて、該端部が前記サイドプレート孔から抜けるのを防止するようにした熱交換器のサイドプレート抜け止め方法である。
【手続補正２９】
【補正対象書類名】明細書
【補正対象項目名】００７０
【補正方法】変更
【補正の内容】
【００７０】
このように、本発明は、サイドプレートの端部がサイドプレート孔から抜けるのを防止する抜け止め手段を設けたので、サイドプレートを組み付けてからろう付けするまでに、サイドプレートの端部がサイドプレート孔から抜けるような事態を未然に防ぐことができる。すなわち、サイドプレートを堅固に組み付けることができ、サイドプレートの端部とサイドプレート孔とを確実にろう付けすることができる。